(57)【要約】【課題】特許出願用明細書の原稿データを作成する発明者が使用するクライアントと該原稿データを校正する出願処理担当者が使用するクライアントとがサーバを介して該原稿データを送受信することにより特許出願書類データを作成する。【解決手段】クライアント１００は、原稿作成手段１０１により、発明者が作成した原稿データを入力し、原稿アップロード手段１０３により、該原稿データと発明届出情報をサーバ３００に送信する。サーバ３００は、原稿受信手段３０１により、送信された原稿データと発明届出情報を受信し、原稿登録手段３０２により、それらを対応付けて包袋ファイル３０３に登録する。クライアント２００は、原稿ダウンロード手段２０１により、サーバ３００に登録された原稿データを転送し、原稿校正手段２０２により、該原稿データを校正し、原稿アップロード手段２０３により、校正された原稿データをサーバ３００に送信する。【選択図】      図１
2006190342.tif 000002
【特許請求の範囲】
【請求項１】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む原稿ダウンロード手段と、
該原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項２】
第１、第２および第３のコンピュータが通信ネットワークを介して接続された特許出願用明細書作成システムにおいて、
前記第１のコンピュータは、
特許出願用明細書のひな形であるテンプレート・データを前記第２のコンピュータから読み込むテンプレート・ダウンロード手段と、
発明者が前記テンプレート・データに文章を入力することにより作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む原稿ダウンロード手段と、
該原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項３】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と、
前記発明者が指定する発明届出情報に対応する原稿データを前記第２のコンピュータから読み込む第１の原稿ダウンロード手段と、
該第１の原稿ダウンロード手段により読み込まれた原稿データを前記発明者の指示に基づいて修正する原稿修正手段と、
該原稿修正手段により修正された原稿データと前記発明者が指定した前記発明届出情報とを前記第２のコンピュータに送信する修正済原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む第２の原稿ダウンロード手段と、
該第２の原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項４】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と、
前記原稿データのアップロード通知を出願処理担当者宛てに行う通知手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
前記アップロード通知に応答して前記出願処理担当者が指定する発明届出情報に対応する原稿データを前記第２のコンピュータから読み込む原稿ダウンロード手段と、
該原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項５】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む原稿ダウンロード手段と、
該原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段と、
前記校正された原稿データのアップロード通知を前記発明者宛てに行う通知手段とを備えたこと特徴とする特許出願用明細書作成システム。
【請求項６】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と、
前記第３のコンピュータからのアップロード通知に応答して前記発明者が指定する発明届出情報に対応する原稿データを前記第２のコンピュータから読み込む第１の原稿ダウンロード手段と、
該第１の原稿ダウンロード手段により読み込まれた原稿データを前記発明者の指示に基づいて修正する原稿修正手段と、
該原稿修正手段により修正された原稿データと前記発明者が指定した前記発明届出情報とを前記第２のコンピュータに送信する修正済原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む第２の原稿ダウンロード手段と、
該第２の原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段と、
前記校正された原稿データの前記アップロード通知を前記発明者宛てに行う通知手段とを備えたこと特徴とする特許出願用明細書作成システム。
【請求項７】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む原稿ダウンロード手段と、
該原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段と、
特許庁への出願のための願書データと前記校正された原稿データとを特許出願書類データとして前記特許庁のコンピュータに送信する特許出願書類送信手段と、
前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信手段とを備えたこと特徴とする特許出願用明細書作成システム。
【請求項８】
第１、第２および第３のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と、
前記発明者が指定する発明届出情報に対応する原稿データを前記第２のコンピュータから読み込む第１の原稿ダウンロード手段と、
該第１の原稿ダウンロード手段により読み込まれた原稿データを前記発明者の指示に基づいて修正する原稿修正手段と、
該原稿修正手段により修正された原稿データと前記発明者が指定した前記発明届出情報とを前記第２のコンピュータに送信する修正済原稿アップロード手段と
を備え；
前記第２のコンピュータは、
包袋ファイル記憶手段と、
前記第１および第３のコンピュータから送信される各原稿データと該各原稿データを特定するための前記発明届出情報とを対応づけて前記包袋ファイル記憶手段に登録する原稿登録手段と
を備え；
前記第３のコンピュータは、
出願処理担当者が指定する発明届出情報に対応する原稿データを前記第２のコンピュータから読み込む第２の原稿ダウンロード手段と、
該第２の原稿ダウンロード手段により読み込まれた原稿データを前記出願処理担当者の指示に基づいて校正する原稿校正手段と、
該原稿校正手段により校正された原稿データと前記出願処理担当者が指定した前記発明届出情報とを前記第２のコンピュータに送信する校正済原稿アップロード手段と、
特許庁への出願のための願書データと前記校正された原稿データとを特許出願書類データとして前記特許庁のコンピュータに送信する特許出願書類送信手段と、
前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信手段とを備えたこと特徴とする特許出願用明細書作成システム。
【請求項９】
第１、第２、第３および第４のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と
を備え；
前記第２のコンピュータは、
包袋ファイル記憶手段と、
前記第１および第４のコンピュータから送信される各原稿データと該各原稿データを特定するための前記発明届出情報とを対応づけて前記包袋ファイル記憶手段に登録する原稿登録手段と
を備え；
前記第３のコンピュータは、
前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録手段を備え、
前記第４のコンピュータは、
出願処理担当者が指定する発明届出情報に対応する原稿データおよびその関連文献データを前記第２のコンピュータから読み込む原稿ダウンロード手段と、
該原稿ダウンロード手段により読み込まれた原稿データを、該原稿データとともに読み込まれた関連文献データを参照した前記出願処理担当者の指示に基づいて、校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項１０】
第１、第２、第３および第４のコンピュータが通信ネットワークを介して接続された特許出願用明細書作成システムにおいて、
前記第１のコンピュータは、
発明者が作成した特許出願用明細書の原稿データを入力する原稿作成手段と、
該原稿作成手段により入力された各原稿データと該各原稿データを特定するための発明届出情報とを前記第２のコンピュータに送信する原稿アップロード手段と、
前記発明者が指定する発明届出情報に対応する原稿データを前記第２のコンピュータから読み込む第１の原稿ダウンロード手段と、
該第１の原稿ダウンロード手段により読み込まれた原稿データを前記発明者の指示に基づいて修正する原稿修正手段と、
該原稿修正手段により修正された原稿データと前記発明者が指定した前記発明届出情報とを前記第２のコンピュータに送信する修正済原稿アップロード手段と
を備え；
前記第２のコンピュータは、
包袋ファイル記憶手段と、
前記第１および第４のコンピュータから送信される各原稿データと該各原稿データを特定するための前記発明届出情報とを対応づけて前記包袋ファイル記憶手段に登録する原稿登録手段と
を備え；
前記第３のコンピュータは、
前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録手段を備え、
前記第４のコンピュータは、
出願処理担当者が指定する発明届出情報に対応する原稿データおよびその関連文献データを前記第２のコンピュータから読み込む第２の原稿ダウンロード手段と、
該第２の原稿ダウンロード手段により読み込まれた原稿データを、該原稿データとともに読み込まれた関連文献データを参照した前記出願処理担当者の指示に基づいて、校正する原稿校正手段と、
該原稿校正手段により校正された原稿データと前記出願処理担当者が指定した前記発明届出情報とを前記第２のコンピュータに送信する校正済原稿アップロード手段とを備えたこと特徴とする特許出願用明細書作成システム。
【請求項１１】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む原稿ダウンロードステップと、
前記第３のコンピュータが、前記原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて前記包袋ファイル記憶手段に登録する校正済原稿登録ステップと
を含むことを特徴とする特許出願用明細書作成方法。
【請求項１２】
第１のコンピュータが、特許出願用明細書のひな形であるテンプレート・データを第２のコンピュータから読み込むテンプレート・ダウンロードステップと、
前記第１のコンピュータが、発明者が前記テンプレート・データに文章を入力することにより作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む原稿ダウンロードステップと、
前記第３のコンピュータが、前記原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて前記包袋ファイル記憶手段に登録する校正済原稿登録ステップと
を含むことを特徴とする特許出願用明細書作成方法。
【請求項１３】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む第２の原稿ダウンロードステップと、
前記第３のコンピュータが、前記第２の原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて前記包袋ファイル記憶手段に登録する校正済原稿登録ステップと、
前記第１のコンピュータが、前記発明者が指定する発明届出情報に対応する原稿データを前記第２のコンピュータから読み込む第１の原稿ダウンロードステップと、
前記第１のコンピュータが、前記第１の原稿ダウンロードステップにおいて読み込まれた原稿データを前記発明者の指示に基づいて修正する原稿修正ステップと、
前記第１のコンピュータが、前記原稿修正ステップにおいて修正された原稿データと前記発明者が指定した前記発明届出情報とを前記第２のコンピュータに送信する修正済原稿アップロードステップと
を含むことを特徴とする特許出願用明細書作成方法。
【請求項１４】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第１のコンピュータが、前記原稿作成ステップにおいて入力された原稿データのアップロード通知を出願処理担当者宛てに行う通知ステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、前記通知ステップにおいて通知された前記アップロード通知に応答して前記出願処理担当者が指定する発明届出情報に対応する原稿データを前記第２のコンピュータから読み込む原稿ダウンロードステップと、
前記第３のコンピュータが、前記原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて前記包袋ファイル記憶手段に登録する校正済原稿登録ステップと
を含むことを特徴とする特許出願用明細書作成方法。
【請求項１５】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む原稿ダウンロードステップと、
前記第３のコンピュータが、前記原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第３のコンピュータが、前記原稿校正ステップにおいて校正された原稿データのアップロード通知を前記発明者宛てに行う通知ステップと、
前記第２のコンピュータが、前記第３のコンピュータから送信される各原稿データと該各原稿データを特定するための前記発明届出情報とを対応づけて包袋ファイル記憶手段に登録する校正済原稿登録ステップと
を含むことを特徴とする特許出願用明細書作成方法。
【請求項１６】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む第２の原稿ダウンロードステップと、
前記第３のコンピュータが、前記第２の原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第３のコンピュータが、前記原稿校正ステップにおいて校正された原稿データのアップロード通知を前記発明者宛てに行う通知ステップと、
前記第２のコンピュータが、前記第３のコンピュータから送信される各原稿データと該各原稿データを特定するための前記発明届出情報とを対応づけて前記包袋ファイル記憶手段に登録する校正済原稿登録ステップと、
前記第１のコンピュータが、前記通知ステップにおいて通知された前記アップロード通知に応答して前記発明者が指定する発明届出情報に対応する原稿データを前記第２のコンピュータから読み込む第１の原稿ダウンロードステップと、
前記第１のコンピュータが、前記第１の原稿ダウンロードステップにおいて読み込まれた原稿データを前記発明者の指示に基づいて修正する原稿修正ステップと、
前記第１のコンピュータが、前記原稿修正ステップにおいて修正された原稿データと前記発明者が指定した前記発明届出情報とを前記第２のコンピュータに送信する修正済原稿アップロードステップと
を含むことを特徴とする特許出願用明細書作成方法。
【請求項１７】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む原稿ダウンロードステップと、
前記第３のコンピュータが、前記原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて包袋ファイル記憶手段に登録する校正済原稿登録ステップと、
前記第３のコンピュータが、特許庁への出願のための願書データと前記原稿校正ステップにおいて校正された原稿データとを特許出願書類データとして前記特許庁のコンピュータに送信する特許出願書類送信ステップと、
前記第３のコンピュータが、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信ステップと
を含むことを特徴とする特許出願用明細書作成方法。
【請求項１８】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、出願処理担当者が指定する発明届出情報に対応する原稿データを前記第２のコンピュータから読み込む第２の原稿ダウンロードステップと、
前記第３のコンピュータが、前記第２の原稿ダウンロードステップにおいて読み込まれた原稿データを前記出願処理担当者の指示に基づいて校正する原稿校正ステップと、
前記第３のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第３のコンピュータから送信される各原稿データと該各原稿データを特定するための前記発明届出情報とを対応づけて包袋ファイル記憶手段に登録する校正済原稿登録ステップと、
前記第１のコンピュータが、前記発明者が指定する発明届出情報に対応する原稿データを前記第２のコンピュータから読み込む第１の原稿ダウンロードステップと、
前記第１のコンピュータが、前記第１の原稿ダウンロードステップにおいて読み込まれた原稿データを前記発明者の指示に基づいて修正する原稿修正ステップと、
前記第１のコンピュータが、前記原稿修正ステップにおいて修正された原稿データと前記発明者が指定した前記発明届出情報とを前記第２のコンピュータに送信する修正済原稿アップロードステップと、
前記第２の原稿ダウンロードステップから前記修正済原稿アップロードステップの各ステップを必要に応じて繰り返すステップと、
前記第３のコンピュータが、特許庁への出願のための願書データと前記原稿校正ステップまたは原稿修正ステップにおいて校正または修正された原稿データとを特許出願書類データとして前記特許庁のコンピュータに送信する特許出願書類送信ステップと、
前記第３のコンピュータが、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信ステップと
を含むことを特徴とする特許出願用明細書作成方法。
【請求項１９】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録ステップと、
第４のコンピュータが、出願処理担当者が指定する発明届出情報に対応する原稿データおよびその関連文献データを前記第２のコンピュータから読み込む原稿ダウンロードステップと、
前記第４のコンピュータが、前記原稿ダウンロードステップにおいて読み込まれた原稿データを、該原稿データとともに読み込まれた関連文献データを参照した前記出願処理担当者の指示に基づいて、校正する原稿校正ステップと、
前記第４のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第４のコンピュータから送信される各原稿データと該各原稿データを特定するための前記発明届出情報とを対応づけて前記包袋ファイル記憶手段に登録する校正済原稿登録ステップと
を含むことを特徴とする特許出願用明細書作成方法。
【請求項２０】
第１のコンピュータが、発明者が作成した特許出願用明細書の原稿データを入力する原稿作成ステップと、
前記第１のコンピュータが、前記原稿作成ステップにおいて入力された各原稿データと該各原稿データを特定するための発明届出情報とを第２のコンピュータに送信する原稿アップロードステップと、
前記第２のコンピュータが、前記第１のコンピュータから送信される各原稿データと該各原稿データを特定するための前記発明届出情報とを対応づけて包袋ファイル記憶手段に登録する原稿登録ステップと、
第３のコンピュータが、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録ステップと、
第４のコンピュータが、出願処理担当者が指定する発明届出情報に対応する原稿データおよびその関連文献データを前記第２のコンピュータから読み込む第２の原稿ダウンロードステップと、
前記第４のコンピュータが、前記第２の原稿ダウンロードステップにおいて読み込まれた原稿データを、該原稿データとともに読み込まれた関連文献データを参照した前記出願処理担当者の指示に基づいて、校正する原稿校正ステップと、
前記第４のコンピュータが、前記原稿校正ステップにおいて校正された原稿データと前記出願処理担当者が指定した前記発明届出情報とを前記第２のコンピュータに送信する校正済原稿アップロードステップと、
前記第２のコンピュータが、前記第４のコンピュータから送信される各原稿データと該各原稿データを特定するための前記発明届出情報とを対応づけて前記包袋ファイル記憶手段に登録する校正済原稿登録ステップと、
前記第１のコンピュータが、前記発明者が指定する発明届出情報に対応する原稿データを前記第２のコンピュータから読み込む第１の原稿ダウンロードステップと、
前記第１のコンピュータが、前記第１の原稿ダウンロードステップにおいて読み込まれた原稿データを前記発明者の指示に基づいて修正する原稿修正ステップと、
前記第１のコンピュータが、前記原稿修正ステップにおいて修正された原稿データと前記発明者が指定した前記発明届出情報とを前記第２のコンピュータに送信する修正済原稿アップロードステップと
を含むことを特徴とする特許出願用明細書作成方法。
【請求項２１】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む原稿ダウンロード処理を第３のコンピュータに行わせ、
前記原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて前記包袋ファイル記憶手段に登録する校正済原稿登録処理を前記第２のコンピュータに行わせる
プログラムを記録したことを特徴とする記録媒体。
【請求項２２】
特許出願用明細書のひな形であるテンプレート・データを前記第２のコンピュータから読み込むテンプレート・ダウンロード処理を第１のコンピュータに行わせ、
発明者が前記テンプレート・データに文章を入力することにより作成した特許出願用明細書の原稿データを入力する原稿作成処理を前記第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む原稿ダウンロード処理を第３のコンピュータに行わせ、
前記原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて前記包袋ファイル記憶手段に登録する校正済原稿登録処理を前記第２のコンピュータに行わせる
プログラムを記録したことを特徴とする記録媒体。
【請求項２３】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む第２の原稿ダウンロード処理を第３のコンピュータに行わせ、
前記第２の原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて前記包袋ファイル記憶手段に登録する校正済原稿登録処理を前記第２のコンピュータに行わせ、
前記発明者が指定する発明届出情報に対応する原稿データを前記第２のコンピュータから読み込む第１の原稿ダウンロード処理を前記第１のコンピュータに行わせ、
前記第１の原稿ダウンロード処理において読み込まれた原稿データを前記発明者の指示に基づいて修正する原稿修正処理を前記第１のコンピュータに行わせ、
前記原稿修正処理において修正された原稿データと前記発明者が指定した前記発明届出情報とを前記第２のコンピュータに送信する修正済原稿アップロード処理を前記第１のコンピュータに行わせる
プログラムを記録したことを特徴とする記録媒体。
【請求項２４】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記原稿作成処理において入力された原稿データのアップロード通知を出願処理担当者宛てに行う通知処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
前記通知処理において通知された前記アップロード通知に応答して前記出願処理担当者が指定する発明届出情報に対応する原稿データを前記第２のコンピュータから読み込む原稿ダウンロード処理を第３のコンピュータを行わせ、
前記原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて前記包袋ファイル記憶手段に登録する校正済原稿登録処理を前記第２のコンピュータに行わせる
プログラムを記録したことを特徴とする記録媒体。
【請求項２５】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む原稿ダウンロード処理を第３のコンピュータに行わせ、
前記原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記原稿校正処理において校正された原稿データのアップロード通知を前記発明者宛てに行う通知処理を前記第３のコンピュータに行わせ、
前記第３のコンピュータから送信される各原稿データと該各原稿データを特定するための前記発明届出情報とを対応づけて包袋ファイル記憶手段に登録する校正済原稿登録処理を前記第２のコンピュータに行わせる
プログラムを記録したことを特徴とする記録媒体。
【請求項２６】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む第２の原稿ダウンロード処理を第３のコンピュータに行わせ、
前記第２の原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記原稿校正処理において校正された原稿データのアップロード通知を前記発明者宛てに行う通知処理を前記第３のコンピュータに行わせ、
前記第３のコンピュータから送信される各原稿データと該各原稿データを特定するための前記発明届出情報とを対応づけて前記包袋ファイル記憶手段に登録する校正済原稿登録処理を前記第２のコンピュータに行わせ、
前記通知処理において通知された前記アップロード通知に応答して前記発明者が指定する発明届出情報に対応する原稿データを前記第２のコンピュータから読み込む第１の原稿ダウンロード処理を前記第１のコンピュータに行わせ、
前記第１の原稿ダウンロード処理において読み込まれた原稿データを前記発明者の指示に基づいて修正する原稿修正処理を前記第１のコンピュータに行わせ、
前記原稿修正処理において修正された原稿データと前記発明者が指定した前記発明届出情報とを前記第２のコンピュータに送信する修正済原稿アップロード処理を前記第１のコンピュータに行わせる
プログラムを記録したことを特徴とする記録媒体。
【請求項２７】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む原稿ダウンロード処理を第３のコンピュータに行わせ、
前記原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて包袋ファイル記憶手段に登録する校正済原稿登録処理を前記第２のコンピュータに行わせ、
特許庁への出願のための願書データと前記原稿校正処理または原稿修正処理において校正または修正された原稿データとを特許出願書類データとして前記特許庁のコンピュータに送信する特許出願書類送信処理を前記第３のコンピュータに行わせ、
前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信処理を前記第３のコンピュータに行わせる
プログラムを記録したことを特徴とする記録媒体。
【請求項２８】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
出願処理担当者が指定する発明届出情報に対応する原稿データを前記第２のコンピュータから読み込む第２の原稿ダウンロード処理を第３のコンピュータに行わせ、
前記第２の原稿ダウンロード処理において読み込まれた原稿データを前記出願処理担当者の指示に基づいて校正する原稿校正処理を前記第３のコンピュータに行わせ、
前記原稿校正処理において校正された原稿データと前記出願処理担当者が指定した前記発明届出情報とを前記第２のコンピュータに送信する校正済原稿アップロード処理を前記第３のコンピュータに行わせ、
前記第３のコンピュータから送信される各原稿データと該各原稿データを特定するための前記発明届出情報とを対応づけて包袋ファイル記憶手段に登録する校正済原稿登録処理を前記第２のコンピュータに行わせ、
前記発明者が指定する発明届出情報に対応する原稿データを前記第２のコンピュータから読み込む第１の原稿ダウンロード処理を前記第１のコンピュータに行わせ、
前記第１の原稿ダウンロード処理において読み込まれた原稿データを前記発明者の指示に基づいて修正する原稿修正処理を前記第１のコンピュータに行わせ、
前記原稿修正処理において修正された原稿データと前記発明者が指定した前記発明届出情報とを前記第２のコンピュータに送信する修正済原稿アップロード処理を前記第１のコンピュータに行わせ、
特許庁への出願のための願書データと前記原稿校正処理において校正された原稿データとを特許出願書類データとして前記特許庁のコンピュータに送信する特許出願書類送信処理を前記第３のコンピュータに行わせ、
前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信処理を前記第３のコンピュータに行わせる
プログラムを記録したことを特徴とする記録媒体。
【請求項２９】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録処理を第３のコンピュータに行わせ、
出願処理担当者が指定する発明届出情報に対応する原稿データおよびその関連文献データを前記第２のコンピュータから読み込む原稿ダウンロード処理を第４のコンピュータに行わせ、
前記原稿ダウンロード処理において読み込まれた原稿データを、該原稿データとともに読み込まれた関連文献データを参照した前記出願処理担当者の指示に基づいて、校正する原稿校正処理を前記第４のコンピュータに行わせ、
前記原稿校正処理において校正された原稿データと前記出願処理担当者が指定した前記発明届出情報とを前記第２のコンピュータに送信する校正済原稿アップロード処理を前記第４のコンピュータに行わせ、
前記第４のコンピュータから送信される各原稿データと該各原稿データを特定するための前記発明届出情報とを対応づけて前記包袋ファイル記憶手段に登録する校正済原稿登録処理を前記第２のコンピュータに行わせる
プログラムを記録したことを特徴とする記録媒体。
【請求項３０】
発明者が作成した特許出願用明細書の原稿データを入力する原稿作成処理を第１のコンピュータに行わせ、
前記原稿作成処理において入力された各原稿データと該各原稿データを特定するための発明届出情報とを第２のコンピュータに送信する原稿アップロード処理を前記第１のコンピュータに行わせ、
前記第１のコンピュータから送信される各原稿データと該各原稿データを特定するための前記発明届出情報とを対応づけて包袋ファイル記憶手段に登録する原稿登録処理を前記第２のコンピュータに行わせ、
前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録処理を第３のコンピュータに行わせ、
出願処理担当者が指定する発明届出情報に対応する原稿データおよびその関連文献データを前記第２のコンピュータから読み込む第２の原稿ダウンロード処理を第４のコンピュータに行わせ、
前記第２の原稿ダウンロード処理において読み込まれた原稿データを、該原稿データとともに読み込まれた関連文献データを参照した前記出願処理担当者の指示に基づいて、校正する原稿校正処理を前記第４のコンピュータに行わせ、
前記原稿校正処理において校正された原稿データと前記出願処理担当者が指定した前記発明届出情報とを前記第２のコンピュータに送信する校正済原稿アップロード処理を前記第４のコンピュータに行わせ、
前記第４のコンピュータから送信される各原稿データと該各原稿データを特定するための前記発明届出情報とを対応づけて前記包袋ファイル記憶手段に登録する校正済原稿登録処理を前記第２のコンピュータに行わせ、
前記発明者が指定する発明届出情報に対応する原稿データを前記第２のコンピュータから読み込む第１の原稿ダウンロード処理を前記第１のコンピュータに行わせ、
前記第１の原稿ダウンロード処理において読み込まれた原稿データを前記発明者の指示に基づいて修正する原稿修正処理を前記第１のコンピュータに行わせ、
前記原稿修正処理において修正された原稿データと前記発明者が指定した前記発明届出情報とを前記第２のコンピュータに送信する修正済原稿アップロード処理を前記第１のコンピュータに行わせる
プログラムを記録したことを特徴とする記録媒体。
【請求項３１】
請求項２１乃至３０のいずれかに記載の前記プログラムを複数の部分に分割して該複数の部分をそれぞれ複数の記録媒体に記録してなる記録媒体群。
【発明の詳細な説明】
【技術分野】
【０００１】
本発明は特許出願用明細書作成システム、特許出願用明細書作成方法および特許出願用明細書作成用プログラムを記録した記録媒体に関し、特に、インタネット等の通信ネットワークに接続された複数のコンピュータを発明者および出願処理担当者が使用して特許出願用明細書を作成するための許出願用明細書作成システム、特許出願用明細書作成方法および特許出願用明細書作成用プログラムを記録した記録媒体に関する。
【背景技術】
【０００２】
従来の工業所有権に係る書誌的データの管理システムの一例が、特開平９−９１３４９号公報に記載されている。この従来の書誌的データの管理システムは、代理人側コンピュータと、依頼人側コンピュータとを備えている。さらに、代理人側コンピュータは、入力部と、送信部と、代理人側経緯データ記憶手段と、代理人側経緯データ更新手段とを備え、依頼人側コンピュータは、依頼人側経緯データ記憶手段と、受信部と、依頼人側経緯データ更新手段とを備えている。
【０００３】
このような構成を有する従来の書誌的データの管理システムはつぎのように動作する。
【０００４】
すなわち、代理人側コンピュータにおいて、まず、入力部が、工業所有権に関する手続のうち、代理人がなした手続の書誌的事項を入力し、送信部が、該入力部から入力された書誌的事項の中の変化情報と案件の整理番号とを含む変化情報データを回線に送信するとともに、代理人側経緯データ更新手段が、代理人側経緯データ記憶手段に記憶されている、案件毎の手続の書誌的事項をまとめた経緯データを、入力部により入力された書誌的事項に基づいて更新している。
【０００５】
一方、依頼人側コンピュータにおいては、受信部が、代理人側コンピュータにより回線に送信された変化情報データを受信し、依頼人側経緯データ更新手段が、依頼人側経緯データ記憶手段に記憶されている、案件毎の手続の書誌的事項をまとめた経緯データを、受信部が受信した変化情報データに基づいて更新している。
【０００６】
【特許文献１】特開平９−９１３４９号公報
【発明の開示】
【発明が解決しようとする課題】
【０００７】
上述した従来のシステムは、単に、代理人側コンピュータにおいて代理人が入力し代理人側経緯データ記憶手段に記憶した書誌的データを回線を介して依頼人側コンピュータに送り依頼人側経緯データ記憶手段に記憶するものにすぎず、代理人側コンピュータと依頼人側コンピュータとがデータを送受信しながら明細書等の特許出願書類を作成するといったような処理を行うことができない。
【０００８】
本発明の目的は、特許出願用明細書の原稿データを作成する発明者が使用するクライアントコンピュータと該原稿データを校正する弁理士等の出願処理担当者が使用するクライアントコンピュータとがサーバコンピュータを介して該原稿データを送受信することにより特許出願書類データを作成することができる特許出願用明細書作成システムを提供することにある。
【課題を解決するための手段】
【０００９】
本発明の第１の特許出願用明細書作成システムは、通信ネットワークを介して接続された第１、第２および第３のコンピュータから構成される。前記第１のコンピュータは、発明者が作成した特許出願用明細書の原稿データを入力する原稿作成手段と、該原稿作成手段により入力された各原稿データと該各原稿データを特定するための発明届出情報とを前記第２のコンピュータに送信する原稿アップロード手段とを備える。前記第２のコンピュータは、包袋ファイル記憶手段と、前記第１および第３のコンピュータから送信される各原稿データと該各原稿データを特定するための前記発明届出情報とを対応づけて前記包袋ファイル記憶手段に登録する原稿登録手段とを備える。前記第３のコンピュータは、出願処理担当者が指定する発明届出情報に対応する原稿データを前記第２のコンピュータから読み込む原稿ダウンロード手段と、該原稿ダウンロード手段により読み込まれた原稿データを前記出願処理担当者の指示に基づいて校正する原稿校正手段と、該原稿校正手段により校正された原稿データと前記出願処理担当者が指定した前記発明届出情報とを前記第２のコンピュータに送信する校正済原稿アップロード手段とを備える。
【００１０】
本発明の第２の特許出願用明細書作成システムは、上述した本発明の第１の特許出願用明細書作成システムにおける前記第１のコンピュータに、特許出願用明細書のひな形であるテンプレート・データを前記第２のコンピュータから読み込むテンプレート・ダウンロード手段を設けた構成を有し、前記原稿作成手段は、発明者が前記テンプレート・データに文章を入力することにより作成した特許出願用明細書の原稿データを入力する。
【００１１】
本発明の第３の特許出願用明細書作成システムは、通信ネットワークを介して接続された第１、第２および第３のコンピュータから構成される。前記第１のコンピュータは、発明者が作成した特許出願用明細書の原稿データを入力する原稿作成手段と、該原稿作成手段により入力された各原稿データと該各原稿データを特定するための発明届出情報とを前記第２のコンピュータに送信する原稿アップロード手段と、前記発明者が指定する発明届出情報に対応する原稿データを前記第２のコンピュータから読み込む第１の原稿ダウンロード手段と、該第１の原稿ダウンロード手段により読み込まれた原稿データを前記発明者の指示に基づいて修正する原稿修正手段と、該原稿修正手段により修正された原稿データと前記発明者が指定した前記発明届出情報とを前記第２のコンピュータに送信する修正済原稿アップロード手段とを備える。前記第２のコンピュータは、包袋ファイル記憶手段と、前記第１および第３のコンピュータから送信される各原稿データと該各原稿データを特定するための前記発明届出情報とを対応づけて前記包袋ファイル記憶手段に登録する原稿登録手段とを備える。前記第３のコンピュータは、出願処理担当者が指定する発明届出情報に対応する原稿データを前記第２のコンピュータから読み込む第２の原稿ダウンロード手段と、該第２の原稿ダウンロード手段により読み込まれた原稿データを前記出願処理担当者の指示に基づいて校正する原稿校正手段と、該原稿校正手段により校正された原稿データと前記出願処理担当者が指定した前記発明届出情報とを前記第２のコンピュータに送信する校正済原稿アップロード手段とを備える。
【００１２】
本発明の第４の特許出願用明細書作成システムは、上述した本発明の第１の特許出願用明細書作成システムにおける前記第１のコンピュータに、前記原稿データのアップロード通知を出願処理担当者宛てに行う通知手段を設けた構成を有する。
【００１３】
本発明の第５の特許出願用明細書作成システムは、上述した本発明の第１の特許出願用明細書作成システムにおける前記第３のコンピュータに、前記校正された原稿データのアップロード通知を前記発明者宛てに行う通知手段を設けた構成を有する。
【００１４】
本発明の第６の特許出願用明細書作成システムは、上述した本発明の第１の特許出願用明細書作成システムにおける前記第３のコンピュータに、特許庁への出願のための願書データと前記校正された原稿データとを特許出願書類データとして前記特許庁のコンピュータに送信する特許出願書類送信手段と、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信手段とを設けた構成を有する。
【００１５】
本発明の第７の特許出願用明細書作成システムは、上述した本発明の第３の特許出願用明細書作成システムにおける前記第３のコンピュータに、特許庁への出願のための願書データと前記校正された原稿データとを特許出願書類データとして前記特許庁のコンピュータに送信する特許出願書類送信手段と、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信手段とを設けた構成を有する。
【００１６】
本発明の第８の特許出願用明細書作成システムは、通信ネットワークを介して接続された第１、第２、第３および第４のコンピュータから構成される。前記第１のコンピュータは、発明者が作成した特許出願用明細書の原稿データを入力する原稿作成手段と、該原稿作成手段により入力された各原稿データと該各原稿データを特定するための発明届出情報とを前記第２のコンピュータに送信する原稿アップロード手段とを備え；前記第２のコンピュータは、包袋ファイル記憶手段と、前記第１および第４のコンピュータから送信される各原稿データと該各原稿データを特定するための前記発明届出情報とを対応づけて前記包袋ファイル記憶手段に登録する原稿登録手段とを備える。前記第３のコンピュータは、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録手段を備える。前記第４のコンピュータは、出願処理担当者が指定する発明届出情報に対応する原稿データおよびその関連文献データを前記第２のコンピュータから読み込む原稿ダウンロード手段と、該原稿ダウンロード手段により読み込まれた原稿データを、該原稿データとともに読み込まれた関連文献データを参照した前記出願処理担当者の指示に基づいて、校正する原稿校正手段と、該原稿校正手段により校正された原稿データと前記出願処理担当者が指定した前記発明届出情報とを前記第２のコンピュータに送信する校正済原稿アップロード手段とを備える。
【００１７】
本発明の第９の特許出願用明細書作成システムは、通信ネットワークを介して接続された第１、第２、第３および第４のコンピュータから構成される。前記第１のコンピュータは、発明者が作成した特許出願用明細書の原稿データを入力する原稿作成手段と、該原稿作成手段により入力された各原稿データと該各原稿データを特定するための発明届出情報とを前記第２のコンピュータに送信する原稿アップロード手段と、前記発明者が指定する発明届出情報に対応する原稿データを前記第２のコンピュータから読み込む第１の原稿ダウンロード手段と、該第１の原稿ダウンロード手段により読み込まれた原稿データを前記発明者の指示に基づいて修正する原稿修正手段と、該原稿修正手段により修正された原稿データと前記発明者が指定した前記発明届出情報とを前記第２のコンピュータに送信する修正済原稿アップロード手段とを備える。前記第２のコンピュータは、包袋ファイル記憶手段と、前記第１および第４のコンピュータから送信される各原稿データと該各原稿データを特定するための前記発明届出情報とを対応づけて前記包袋ファイル記憶手段に登録する原稿登録手段とを備える。前記第３のコンピュータは、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録手段を備える。前記第４のコンピュータは、出願処理担当者が指定する発明届出情報に対応する原稿データおよびその関連文献データを前記第２のコンピュータから読み込む第２の原稿ダウンロード手段と、該第２の原稿ダウンロード手段により読み込まれた原稿データを、該原稿データとともに読み込まれた関連文献データを参照した前記出願処理担当者の指示に基づいて、校正する原稿校正手段と、該原稿校正手段により校正された原稿データと前記出願処理担当者が指定した前記発明届出情報とを前記第２のコンピュータに送信する校正済原稿アップロード手段とを備える。
【００１８】
本発明の第１０の特許出願用明細書作成システムは、通信ネットワークを介して接続された第１、第２、第３および第４のコンピュータから構成される。前記第１のコンピュータは、発明者が作成した特許出願用明細書の原稿データを入力する原稿作成手段と、該原稿作成手段により入力された各原稿データと該各原稿データを特定するための発明届出情報とを前記第２のコンピュータに送信する原稿アップロード手段と、前記発明者が指定する発明届出情報に対応する原稿データを前記第２のコンピュータから読み込む第１の原稿ダウンロード手段と、該第１の原稿ダウンロード手段により読み込まれた原稿データを前記発明者の指示に基づいて修正する原稿修正手段と、該原稿修正手段により修正された原稿データと前記発明者が指定した前記発明届出情報とを前記第２のコンピュータに送信する修正済原稿アップロード手段とを備える。前記第２のコンピュータは、包袋ファイル記憶手段と、前記第１および第４のコンピュータから送信される各原稿データと該各原稿データを特定するための前記発明届出情報とを対応づけて前記包袋ファイル記憶手段に登録する原稿登録手段とを備える。前記第３のコンピュータは、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録手段を備える。前記第４のコンピュータは、出願処理担当者が指定する発明届出情報に対応する原稿データおよびその関連文献データを前記第２のコンピュータから読み込む第２の原稿ダウンロード手段と、該第２の原稿ダウンロード手段により読み込まれた原稿データを、該原稿データとともに読み込まれた関連文献データを参照した前記出願処理担当者の指示に基づいて、校正する原稿校正手段と、該原稿校正手段により校正された原稿データと前記出願処理担当者が指定した前記発明届出情報とを前記第２のコンピュータに送信する校正済原稿アップロード手段とを備える。
【００１９】
本発明の第１の特許出願用明細書作成方法は、第１のコンピュータが、発明者が作成した特許出願用明細書の原稿データを入力する原稿作成ステップと、前記第１のコンピュータが、前記原稿作成ステップにおいて入力された各原稿データと該各原稿データを特定するための発明届出情報とを第２のコンピュータに送信する原稿アップロードステップと、前記第２のコンピュータが、前記第１のコンピュータから送信される各原稿データと該各原稿データを特定するための前記発明届出情報とを対応づけて包袋ファイル記憶手段に登録する原稿登録ステップと、第３のコンピュータが、出願処理担当者が指定する発明届出情報に対応する原稿データを前記第２のコンピュータから読み込む原稿ダウンロードステップと、前記第３のコンピュータが、前記原稿ダウンロードステップにおいて読み込まれた原稿データを前記出願処理担当者の指示に基づいて校正する原稿校正ステップと、前記第３のコンピュータが、前記原稿校正ステップにおいて校正された原稿データと前記出願処理担当者が指定した前記発明届出情報とを前記第２のコンピュータに送信する校正済原稿アップロードステップと、前記第２のコンピュータが、前記第３のコンピュータから送信される各原稿データと該各原稿データを特定するための前記発明届出情報とを対応づけて前記包袋ファイル記憶手段に登録する校正済原稿登録ステップとを含むことを特徴とする。
【００２０】
本発明の第２の特許出願用明細書作成方法は、上述した本発明の第１の特許出願用明細書作成方法における原稿作成ステップに先立ち、第１のコンピュータが、特許出願用明細書のひな形であるテンプレート・データを前記第２のコンピュータから読み込むテンプレート・ダウンロードステップを含み、前記原稿作成ステップでは、前記第１のコンピュータが、発明者が前記テンプレート・データに文章を入力することにより作成した特許出願用明細書の原稿データを入力する。
【００２１】
本発明の第３の特許出願用明細書作成方法は、第１のコンピュータが、発明者が作成した特許出願用明細書の原稿データを入力する原稿作成ステップと、前記第１のコンピュータが、前記原稿作成ステップにおいて入力された各原稿データと該各原稿データを特定するための発明届出情報とを第２のコンピュータに送信する原稿アップロードステップと、前記第２のコンピュータが、前記第１のコンピュータから送信される各原稿データと該各原稿データを特定するための前記発明届出情報とを対応づけて包袋ファイル記憶手段に登録する原稿登録ステップと、第３のコンピュータが、出願処理担当者が指定する発明届出情報に対応する原稿データを前記第２のコンピュータから読み込む第２の原稿ダウンロードステップと、前記第３のコンピュータが、前記第２の原稿ダウンロードステップにおいて読み込まれた原稿データを前記出願処理担当者の指示に基づいて校正する原稿校正ステップと、前記第３のコンピュータが、前記原稿校正ステップにおいて校正された原稿データと前記出願処理担当者が指定した前記発明届出情報とを前記第２のコンピュータに送信する校正済原稿アップロードステップと、前記第２のコンピュータが、前記第３のコンピュータから送信される各原稿データと該各原稿データを特定するための前記発明届出情報とを対応づけて前記包袋ファイル記憶手段に登録する校正済原稿登録ステップと、前記第１のコンピュータが、前記発明者が指定する発明届出情報に対応する原稿データを前記第２のコンピュータから読み込む第１の原稿ダウンロードステップと、前記第１のコンピュータが、前記第１の原稿ダウンロードステップにおいて読み込まれた原稿データを前記発明者の指示に基づいて修正する原稿修正ステップと、前記第１のコンピュータが、前記原稿修正ステップにおいて修正された原稿データと前記発明者が指定した前記発明届出情報とを前記第２のコンピュータに送信する修正済原稿アップロードステップとを含むことを特徴とする。
【００２２】
本発明の第４の特許出願用明細書作成方法は、上述した本発明の第１の特許出願用明細書作成方法における原稿アップロードステップの後に、前記第１のコンピュータが、前記原稿作成ステップにおいて入力された原稿データのアップロード通知を出願処理担当者宛てに行う通知ステップを含む。
【００２３】
本発明の第５の特許出願用明細書作成方法は、上述した本発明の第１の特許出願用明細書作成方法における校正済原稿アップロードステップの後に、前記第３のコンピュータが、前記原稿校正ステップにおいて校正された原稿データのアップロード通知を前記発明者宛てに行う通知ステップを含む。
【００２４】
本発明の第６の特許出願用明細書作成方法は、上述した本発明の第１の特許出願用明細書作成方法における校正済原稿登録ステップの後に、前記第３のコンピュータが、特許庁への出願のための願書データと前記原稿校正ステップにおいて校正された原稿データとを特許出願書類データとして前記特許庁のコンピュータに送信する特許出願書類送信ステップと、前記第３のコンピュータが、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信ステップとを含む。
【００２５】
本発明の第７の特許出願用明細書作成方法は、上述した本発明の第３の特許出願用明細書作成方法における修正済原稿アップロードステップの後に、前記第２の原稿ダウンロードステップから前記修正済原稿アップロードステップまでの各ステップを必要に応じて繰り返すステップと、前記第３のコンピュータが、特許庁への出願のための願書データと前記原稿校正ステップにおいて校正された原稿データとを特許出願書類データとして前記特許庁のコンピュータに送信する特許出願書類送信ステップと、前記第３のコンピュータが、前記特許出願書類データに応答して前記特許庁のコンピュータから送られてくる、前記特許出願書類データに対応するプルーフ・データを受信し該プルーフ・データを該プルーフ・データに対応する発明届出情報と対応づけて前記包袋ファイル記憶手段に登録するために該プルーフ・データを前記第２のコンピュータに送信するプルーフ送信ステップとを含む。
【００２６】
本発明の第８の特許出願用明細書作成方法は、第１のコンピュータが、発明者が作成した特許出願用明細書の原稿データを入力する原稿作成ステップと、前記第１のコンピュータが、前記原稿作成ステップにおいて入力された各原稿データと該各原稿データを特定するための発明届出情報とを第２のコンピュータに送信する原稿アップロードステップと、前記第２のコンピュータが、前記第１のコンピュータから送信される各原稿データと該各原稿データを特定するための前記発明届出情報とを対応づけて包袋ファイル記憶手段に登録する原稿登録ステップと、第３のコンピュータが、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録ステップと、第４のコンピュータが、出願処理担当者が指定する発明届出情報に対応する原稿データおよびその関連文献データを前記第２のコンピュータから読み込む原稿ダウンロードステップと、前記第４のコンピュータが、前記原稿ダウンロードステップにおいて読み込まれた原稿データを、該原稿データとともに読み込まれた関連文献データを参照した前記出願処理担当者の指示に基づいて、校正する原稿校正ステップと、前記第４のコンピュータが、前記原稿校正ステップにおいて校正された原稿データと前記出願処理担当者が指定した前記発明届出情報とを前記第２のコンピュータに送信する校正済原稿アップロードステップと、前記第２のコンピュータが、前記第４のコンピュータから送信される各原稿データと該各原稿データを特定するための前記発明届出情報とを対応づけて前記包袋ファイル記憶手段に登録する校正済原稿登録ステップとを含む。
【００２７】
本発明の第９の特許出願用明細書作成方法は、第１のコンピュータが、発明者が作成した特許出願用明細書の原稿データを入力する原稿作成ステップと、前記第１のコンピュータが、前記原稿作成ステップにおいて入力された各原稿データと該各原稿データを特定するための発明届出情報とを第２のコンピュータに送信する原稿アップロードステップと、前記第２のコンピュータが、前記第１のコンピュータから送信される各原稿データと該各原稿データを特定するための前記発明届出情報とを対応づけて包袋ファイル記憶手段に登録する原稿登録ステップと、第３のコンピュータが、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録ステップと、第４のコンピュータが、出願処理担当者が指定する発明届出情報に対応する原稿データおよびその関連文献データを前記第２のコンピュータから読み込む第２の原稿ダウンロードステップと、前記第４のコンピュータが、前記第２の原稿ダウンロードステップにおいて読み込まれた原稿データを、該原稿データとともに読み込まれた関連文献データを参照した前記出願処理担当者の指示に基づいて、校正する原稿校正ステップと、前記第４のコンピュータが、前記原稿校正ステップにおいて校正された原稿データと前記出願処理担当者が指定した前記発明届出情報とを前記第２のコンピュータに送信する校正済原稿アップロードステップと、前記第２のコンピュータが、前記第４のコンピュータから送信される各原稿データと該各原稿データを特定するための前記発明届出情報とを対応づけて前記包袋ファイル記憶手段に登録する校正済原稿登録ステップと、前記第１のコンピュータが、前記発明者が指定する発明届出情報に対応する原稿データを前記第２のコンピュータから読み込む第１の原稿ダウンロードステップと、前記第１のコンピュータが、前記第１の原稿ダウンロードステップにおいて読み込まれた原稿データを前記発明者の指示に基づいて修正する原稿修正ステップと、前記第１のコンピュータが、前記原稿修正ステップにおいて修正された原稿データと前記発明者が指定した前記発明届出情報とを前記第２のコンピュータに送信する修正済原稿アップロードステップとを含む。
【００２８】
本発明の第１０の特許出願用明細書作成方法は、第１のコンピュータが、発明者が作成した特許出願用明細書の原稿データを入力する原稿作成ステップと、前記第１のコンピュータが、前記原稿作成ステップにおいて入力された各原稿データと該各原稿データを特定するための発明届出情報とを第２のコンピュータに送信する原稿アップロードステップと、前記第２のコンピュータが、前記第１のコンピュータから送信される各原稿データと該各原稿データを特定するための前記発明届出情報とを対応づけて包袋ファイル記憶手段に登録する原稿登録ステップと、第３のコンピュータが、前記第１のコンピュータから前記第２のコンピュータに原稿データの送信があった場合に該原稿データを参照し該原稿データで示される発明の内容に基づいて先行技術文献データベースから関連する文献のデータを検索し見出された関連文献データを当該原稿データと対応づけて前記包袋ファイル記憶手段に登録する登録ステップと、第４のコンピュータが、出願処理担当者が指定する発明届出情報に対応する原稿データおよびその関連文献データを前記第２のコンピュータから読み込む第２の原稿ダウンロードステップと、前記第４のコンピュータが、前記第２の原稿ダウンロードステップにおいて読み込まれた原稿データを、該原稿データとともに読み込まれた関連文献データを参照した前記出願処理担当者の指示に基づいて、校正する原稿校正ステップと、前記第４のコンピュータが、前記原稿校正ステップにおいて校正された原稿データと前記出願処理担当者が指定した前記発明届出情報とを前記第２のコンピュータに送信する校正済原稿アップロードステップと、前記第２のコンピュータが、前記第４のコンピュータから送信される各原稿データと該各原稿データを特定するための前記発明届出情報とを対応づけて前記包袋ファイル記憶手段に登録する校正済原稿登録ステップと、前記第１のコンピュータが、前記発明者が指定する発明届出情報に対応する原稿データを前記第２のコンピュータから読み込む第１の原稿ダウンロードステップと、前記第１のコンピュータが、前記第１の原稿ダウンロードステップにおいて読み込まれた原稿データを前記発明者の指示に基づいて修正する原稿修正ステップと、前記第１のコンピュータが、前記原稿修正ステップにおいて修正された原稿データと前記発明者が指定した前記発明届出情報とを前記第２のコンピュータに送信する修正済原稿アップロードステップとを含む。
【発明の効果】
【００２９】
以上説明したように、本発明には、特許出願用明細書の原稿データを作成および修正する発明者が使用するクライアントコンピュータと該原稿データを校正する出願処理担当者が使用するクライアントコンピュータとがサーバコンピュータを介して該原稿データを送受信しながら特許出願明細書を極めて効率的に作成することができる効果がある。
【発明を実施するための最良の形態】
【００３０】
次に、本発明について図面を参照して詳細に説明する。なお、各図面において、同一の参照符号は同一の構成要素を示している。
【００３１】
まず、本発明の第１の実施の形態について詳細に説明する。
【００３２】
図１を参照すると、本発明の第１の実施の形態は、クライアントコンピュータ１００と、このコンピュータ１００に接続された記憶装置１０４と、クライアントコンピュータ２００と、サーバコンピュータ３００と、このコンピュータ３００に接続された記憶装置３１０とから構成されている。これらのコンピュータ１０、２００および３００はプログラム制御により動作し、インターネット等の通信ネットワークを介して相互に接続されている。
【００３３】
クライアントコンピュータ１００は、原稿作成手段１０１と、発明届出情報登録手段１０２と、原稿アップロード手段１０３とを含む。
【００３４】
原稿作成手段１０１は、企業の従業員等（以下、「発明者」という。）が職務上なした発明をその企業内の特許出願処理担当部門に届出るために発明者が作成する特許出願用明細書の原稿データの作成に使用される。
【００３５】
発明届出情報登録手段１０２は、発明者が、原稿作成手段１０１により作成された特許出願用明細書の原稿データに係る（該原稿データを特定するための）発明届出情報（整理番号、発明者名、発明の名称等が含まれる）および該原稿データの格納ファイル名を入力するために使用される。
【００３６】
原稿アップロード手段１０３は、特許出願用明細書の原稿データと該原稿データに係る発明届出情報とをサーバコンピュータ３００に送信する。
【００３７】
クライアントコンピュータ２００は、クライアントコンピュータ１００を使用する発明者により作成された特許出願用明細書の原稿データを校正し特許庁へ出願する最終的な特許出願用明細書データを作成する企業内の特許出願処理担当部門の部員、または企業に特許出願処理手続きを依頼された弁理士事務所の所員、（以下、これら部員および所員を総称して「出願処理担当者」という。）により使用される。このコンピュータ２００は、原稿ダウンロード手段２０１と、原稿校正手段２０２と、原稿アップロード手段２０３とを含む。
【００３８】
原稿ダウンロード手段２０１は、サーバコンピュータ３００に登録されている特許出願用明細書の原稿データを読み込む。
【００３９】
原稿校正手段２０２は、原稿ダウンロード手段２０１により読み込まれた特許出願用明細書の原稿データを出願処理担当者が校正するために使用される。
【００４０】
原稿アップロード手段２０３は、原稿校正手段２０２において校正された特許出願用明細書の原稿データをサーバコンピュータ３００に送信する。
【００４１】
サーバコンピュータ３００は、原稿受信手段３０１と、原稿登録手段３０２とを含む。このコンピュータ３００に接続された記憶装置３１０には、包袋ファイル３０３が格納されており、このファイル３０３は包袋ファイル管理テーブル３０４を含む。
【００４２】
原稿受信手段３０１は、クライアントコンピュータ１００または２００から送信された特許出願用明細書の原稿データと該原稿データに係る発明届出情報とを受信する。
【００４３】
原稿登録手段３０２は、原稿受信手段３０１が受信した特許出願用明細書の原稿データと該原稿データに係る発明届出情報とを対応付けて包袋ファイル３０３に登録する。
【００４４】
次に、図１〜図５を参照して本実施の形態の全体の動作について詳細に説明する。
【００４５】
まず、クライアントコンピュータ１００において、発明者の指示により、原稿作成手段１０１が、公知のワードプロセッサ等の文書作成ソフトウェアを起動し（図２のステップＡ１）、該ソフトウェアを使用して発明者に該発明者のなした発明の内容を記載した特許出願用明細書の文書データを作成させるとともに、公知の描画ソフトウェアを起動し（ステップＡ２）、該ソフトウェアを使用して発明者に特許出願用明細書に添付する図面データを作成させる。このあと、発明者は、上記文書作成ソフトウェアを使用して、作成された文書データに図面データを挿入する（貼り付ける）ことにより文書データと図面データとが合成された特許出願用明細書の原稿データを作成する。原稿作成手段１０１は、この原稿データに発明者が指定するファイル名を付して記憶装置１０４に格納する（ステップＡ３）。
【００４６】
一方、発明届出情報登録手段１０２は、特許出願用明細書の原稿データの整理番号（すなわち、発明届出の整理番号）、該原稿データを作成した発明者の名前（発明者名）および発明の名称等の発明の届出に必要な発明届出情報と該原稿データのファイル名とを発明者に入力させるための発明届出情報入力画面を表示装置（図示せず）に表示し、発明者によるそれらの情報の入力を待ち合わせる（ステップＡ４）。ここで、発明届出の整理番号は所定の規則に基づいて付与される番号（例えば、発明の届出の早い順に付与される連続番号）である。この番号は発明者が入力するのではなく、発明届出情報登録手段１０２が自動採番して発明届出情報入力画面に自動的に設定するようにしても良い。
【００４７】
発明届出情報入力画面の一例を図３に示す。
【００４８】
図において、この入力画面１０には、発明届出情報およびファイル名を入力するための各入力フィールド、すなわち、原稿データの整理番号（発明届出の整理番号）が入力される整理番号入力フィールド１１と、特許出願する発明の名称が入力される発明の名称入力フィールド１２と、発明者の社員番号、名前、電話番号（内線および外線）、電子メールアドレスおよび所属部門がそれぞれ入力される社員番号入力フィールド１３、発明者名入力フィールド１４、電話番号入力フィールド１５、電子メールアドレス入力フィールド１６および所属部門入力フィールド１７と、原稿データのファイル名が入力されるファイル名入力フィールド１８とが設けられている。
【００４９】
原稿アップロード手段１０３は、この発明届出情報入力画面１０に特許出願用明細書の原稿データの発明届出情報および該原稿データのファイル名が入力されると、該ファイル名に対応する原稿データを記憶装置１０４から読み出し（ステップＡ５）、該原稿データの発明届出情報とともにサーバコンピュータ３００に送信する（ステップＡ６）。
【００５０】
次に、サーバコンピュータ３００において、原稿受信手段３０１が、コンピュータ１００内の原稿アップロード手段１０３から送信された特許出願用明細書の原稿データと該原稿データの発明届出情報とを受信する（ステップＡ７）。
【００５１】
原稿登録手段３０２は、原稿受信手段３０１が受信した特許出願用明細書の原稿データと該原稿データの発明届出情報とを対応付けて包袋ファイル３０３に登録する（ステップＡ８）。
【００５２】
このステップＡ８における登録処理の具体例としては、原稿データを包袋ファイル３０３に格納するとともに、その格納アドレスと発明届出情報とを対応付ける包袋ファイル管理テーブル３０４を包袋ファイル３０３に設ける方法を挙げることができる。
【００５３】
図４はこのような包袋ファイル管理テーブル３０４の一例を示す。
【００５４】
図において、テーブル３０４は複数の発明届出情報を登録するための複数のエントリから構成され、各エントリは発明届出情報を構成する整理番号、発明の名称、発明者名、社員番号、所属部門および電話番号等がそれぞれ登録されるフィールド２１〜２６と当該発明届出情報に係る原稿データの包袋ファイル３０３内の格納アドレスが登録されるフィールド２７とから構成される。
【００５５】
ステップＡ８における登録処理の他の具体例としては、発明届出情報と原稿データとをまとめて１ディレクトリ（ファイル）配下に格納し、クライアントコンピュータ１００を使用する発明者とクライアントコンピュータ２００を使用する出願処理担当者の双方が該原稿データを一意に認識することができるディレクトリ（ファイル）名、例えば該発明届出情報に含まれる整理番号をディレクトリ（ファイル）名として付して包袋ファイル３０３に登録するといった方法が考えられる。
【００５６】
以上のようにしてサーバコンピュータ３００に特許出願用明細書の原稿データおよびそれに係る発明届出情報が登録されると、クライアントコンピュータ２００において出願処理担当者が原稿データの校正を行えるようになる。原稿を校正する場合には、まず、コンピュータ２００の原稿ダウンロード手段２０１が、サーバコンピュータ３００の包袋ファイル３０３内の包袋ファイル管理テーブル３０４を参照しこのテーブル３０４に登録されている全ての発明届出情報（または特定の条件を満たすもののみ（例えば、特定の所属部門に属する各発明者のもののみ））の一覧を表示装置（図示せず）に表示し（ステップＡ９）、出願処理担当者に所望の発明届出情報を選択させ、選択された発明届出情報に係る原稿データの格納アドレスを包袋ファイル管理テーブル３０４から知り、そのアドレスに基づき当該原稿データを包袋ファイル３０３から読み込む（ステップＡ１０）。
【００５７】
図５は表示装置に表示される発明届出情報の一覧４０の一例を示す。
【００５８】
図に示すように、この一覧４０の各行には発明届出情報がそれぞれ表示され、所望の発明届出情報を選択するには当該発明届出情報が表示されている行の先頭（最も左側）の列に表示されている項番を入力すればよい。
【００５９】
原稿校正手段２０２は、公知の文書作成ソフトウェアおよび描画ソフトウェアを起動して、原稿ダウンロード手段２０１により読み込んだ特許出願用明細書の原稿データを該ソフトウェアを使用して出願処理担当者に校正させる（ステップＡ１１）。
【００６０】
校正完了後、原稿アップロード手段２０３は、原稿校正手段２０２において校正された特許出願用明細書の原稿データを該原稿データの発明届出情報とともにサーバコンピュータ３００に送信する（ステップＡ１２）。
【００６１】
サーバコンピュータ３００においては、原稿受信手段３０１が、コンピュータ２００の原稿アップロード手段２０３から送信された校正後の特許出願用明細書の原稿データと該原稿データの発明届出情報とを受信する（ステップＡ１３）。
【００６２】
原稿登録手段３０２は、原稿受信手段３０１が受信した校正後の特許出願用明細書の原稿データを包袋ファイル３０３内の適当な場所に格納するとともに、この原稿データとともに原稿受信手段３０１が受信した発明届出情報に基づいて包袋ファイル管理テーブル３０４を検索し、テーブル３０４内のこの発明届出情報に対応するエントリを特定し、そのエントリ内の原稿データ格納アドレスフィールド２７の内容（現在は校正前の特許出願用明細書の原稿データの格納アドレスが登録されている。）を校正後の原稿データのファイル３０３内の格納アドレスで更新登録する。これは、校正前の原稿データが校正後の原稿データで置換されたことを意味する（ステップＡ１４）。なお、校正後の原稿データで校正前の原稿データを置換するのではなく、校正後の原稿データを校正前の原稿データに追加するようにしてもよい。この場合には、包袋ファイル管理テーブル３０４の原稿データ格納アドレスフィールド２７を各エントリにつき複数個設ければよい。
【００６３】
以上のように、本実施の形態では、特許出願用明細書の原稿データを作成する発明者が使用するクライアントコンピュータ１００と該原稿データを校正する出願処理担当者が使用するクライアントコンピュータ２００とがサーバコンピュータ３００を介して該原稿データを送受信しながら特許出願明細書を極めて効率的に作成することができるという効果がある。
【００６４】
次に、本発明の第２の実施の形態について図面を参照して詳細に説明する。
【００６５】
図６を参照すると、本発明の第２の実施の形態においては、第１の実施の形態におけるクライアントコンピュータ１００が、さらにテンプレートダウンロード手段１０５を含んだ構成となっている。
【００６６】
このテンプレートダウンロード手段１０５は、サーバコンピュータ３００の包袋ファイル３０３に予め格納された特許出願用明細書のひな形（明細書の各項目名や明細書中の説明において頻繁に用いられる定型的な文章等が予め所定の位置に配置され、穴埋め形式で文章を入力していくことにより明細書を完成できるようにしたもの）の文書データ（以下、テンプレートデータという）を読み込む。
【００６７】
次に、図６および図７を参照して本実施の形態の全体の動作について詳細に説明する。
【００６８】
まず、クライアントコンピュータ１００内の原稿作成手段１０１は、公知のワードプロセッサ等の文書作成ソフトウェアを起動し（図７のステップＢ１）、さらにテンプレートダウンロード手段１０５を起動する（ステップＢ２）。
【００６９】
起動されたテンプレートダウンロード手段１０５は、サーバコンピュータ３００の包袋ファイル３０３内の所定の場所に格納されているテンプレートデータを読み込む（ステップＢ３）。
【００７０】
原稿作成手段１０１は、テンプレートダウンロード手段１０５により読み込まれたテンプレートデータをさらに文書作成ソフトウェアに読み込み（ステップＢ４）、発明者に該テンプレートデータに文章データを追加入力させることにより特許出願用明細書の文書データを完成させる。
【００７１】
次に、第１の実施の形態と同様に、クライアントコンピュータ１００において、原稿作成手段１０１が公知の描画ソフトウェアを起動して（図２のステップＡ２）発明者に図面データを作成させ、さらに該図面データを文書データに挿入して特許出願用明細書の原稿データを作成させる。
【００７２】
これ以降の動作は第１の実施の形態と同じであるためその説明は省略する。
【００７３】
本実施の形態では、クライアントコンピュータ１００を使用する発明者に対して、特許出願用明細書のひな形であるテンプレートデータを包袋ファイル３０３内に用意し、これを使用して発明者が容易に特許出願明細書を作成することができるという効果がある。
【００７４】
次に、本発明の第３の実施の形態について図面を参照して詳細に説明する。
【００７５】
図８を参照すると、本発明の第３の実施の形態においては、第２の実施の形態におけるクライアントコンピュータ１００が、さらに原稿ダウンロード手段１０６および原稿修正手段１０７を含んだ構成となっている。
【００７６】
原稿ダウンロード手段１０６は、クライアントコンピュータ２００で出願処理担当者により校正されサーバコンピュータ３００に登録されている特許出願用明細書の原稿データを読み込む。
【００７７】
原稿修正手段１０７は、原稿ダウンロード手段１０６により読み込まれた特許出願用明細書の原稿データを発明者に修正させる。
【００７８】
次に、図８および図９を参照して本実施の形態の全体の動作について詳細に説明する。なお、本実施の形態において、原稿ダウンロード手段１０６および原稿修正手段１０７以外の各構成要素の動作は第１および第２の実施の形態のそれと同じであるため本実施の形態の説明に特に必要のないものの説明は省略する。
【００７９】
原稿登録手段３０２による登録処理（図２のステップＡ１４）の完了後、その登録された校正済み原稿データの内容を発明者が検討し必要な修正（本明細書中では、便宜上、発明者が行う補充・訂正行為を「修正」と呼び、出願処理担当者が行う補充・訂正行為を「校正」と呼ぶこととする。）を加える場合には、まず、クライアントコンピュータ１００において、発明者の指示により、原稿ダウンロード手段１０６が、サーバコンピュータ３００の包袋ファイル３０３内の包袋ファイル管理テーブル３０４を参照しこのテーブル３０４に登録されている全ての発明届出情報（または特定の条件を満たすもののみ（例えば、当該発明者のもののみ））の一覧を表示装置（図示せず）表示し（図９のステップＣ１）、発明者に所望の発明届出情報を選択させ、選択された発明届出情報に係る校正済み原稿データの格納アドレスを包袋ファイル管理テーブル３０４から知り、そのアドレスに基づき当該校正済み原稿データを包袋ファイル３０３から読み込む（ステップＣ２）。ここで、表示装置に表示される一覧は図５に示したものと同様のものである。
【００８０】
原稿修正手段１０７は、公知のワードプロセッサ等の文書作成ソフトウェアおよび描画ソフトウェアを起動して、原稿ダウンロード手段１０６により読み込まれた校正済み原稿データを発明者に参照または修正させる（ステップＣ３）。発明者は、該校正済み原稿データを修正する必要がある場合には、該文書作成ソフトウェアを使用して該校正済み原稿データを修正する。原稿修正手段１０７は、このようにして発明者が修正した特許出願用明細書の原稿データに該発明者が指定するファイル名を付して修正済み原稿データとして記憶装置１０４に格納する（ステップＣ４）。
【００８１】
原稿アップロード手段１０３は、この修正済み原稿データに係る発明届出情報と記憶装置１０４に格納された当該修正済み原稿データのファイル名との対応付けを発明者に設定させるための画面（例えば、図５に示した一覧３０にファイル名を入力設定するための列を設けたもの）を表示装置に表示し（ステップＣ５）、設定されたファイル名に対応する修正済み原稿データを記憶装置１０４から読み出し（ステップＣ６）、その発明届出情報とともにサーバコンピュータ３００に送信する（ステップＣ７）。
【００８２】
次に、サーバコンピュータ３００において、原稿受信手段３０１が、原稿アップロード手段１０３から送信された修正済み原稿データと該修正済み原稿データの発明届出情報とを受信する（ステップＣ８）。
【００８３】
サーバコンピュータ３００の原稿登録手段３０２は、原稿受信手段３０１が受信した修正済み原稿データを包袋ファイル３０３内の適当な場所に格納するとともに、この原稿データとともに原稿受信手段３０１が受信した発明届出情報に基づいて包袋ファイル管理テーブル３０４を検索し、テーブル３０４内のこの発明届出情報に対応するエントリを特定し、そのエントリ内の原稿データ格納アドレスフィールド２７の内容（現在は修正前の校正済み原稿データの格納アドレスが登録されている。）を修正済み原稿データのファイル３０３内の格納アドレスで更新登録する。これは、修正前の原稿データが修正後の原稿データで置換されたことを意味する（ステップＣ９）。なお、第１の実施の形態の説明においても述べたように、修正後の原稿データで修正前の原稿データを置換するのではなく、修正後の原稿データを修正前の原稿データに追加するようにしてもよい。この場合には、包袋ファイル管理テーブル３０４の原稿データ格納アドレスフィールド２７を各エントリにつき複数個設ければよい。このようにすることにより、発明者が最初に作成した原稿データとこの原稿データを出願処理担当者が校正した校正済み原稿データとこの校正済み原稿データを発明者が修正した修正済み原稿データとの全てが登録されたことになる。
【００８４】
その後、登録された修正済み原稿データを出願処理担当者が再度校正する場合には、第１または第２の実施の形態と同様に、クライアントコンピュータ２００において、出願処理担当者の指示により、原稿ダウンロード手段２０１がサーバコンピュータ３００に登録された修正済み原稿データを読み込み、原稿校正手段２０２が原稿ダウンロード手段２０１により読み込まれた修正済み原稿データを出願処理担当者に校正させ、原稿アップロード手段２０３がこの再校正された原稿データと該再校正済み原稿データの発明届出情報とをサーバコンピュータ３００に送信する。
【００８５】
サーバコンピュータ３００においては、原稿受信手段３０１がクライアントコンピュータ２００から送信された再校正済み原稿データと該原稿データに係る発明届出情報とを受信する。原稿登録手段３０２は原稿受信手段３０１が受信した再校正済み原稿データを包袋ファイル３０３内の適当な場所に格納するとともに、この原稿データとともに原稿受信手段３０１が受信した発明届出情報に基づいて包袋ファイル管理テーブル３０４を検索し、テーブル３０４内のこの発明届出情報に対応するエントリを特定し、そのエントリ内の原稿データ格納アドレスフィールド２７の内容（現在は再校正前の修正済み原稿データの格納アドレスが登録されている。）を再校正済み原稿データのファイル３０３内の格納アドレスで更新登録する。これは、再校正前の原稿データが再校正後の原稿データで置換されたことを意味する。なお、第１の実施の形態の説明においても述べたように、再校正後の原稿データで再校正前の原稿データを置換するのではなく、再校正後の原稿データを再校正前の原稿データに追加するようにしてもよい。この場合には、包袋ファイル管理テーブル３０４の原稿データ格納アドレスフィールド２７を各エントリにつき複数個設ければよい。このようにすることにより、発明者が最初に作成した原稿データとこの原稿データを出願処理担当者が校正した校正済み原稿データとこの校正済み原稿データを発明者が修正した修正済み原稿データとこの修正済み原稿データを出願処理担当者が再校正した再校正済み原稿データとの全てが登録されたことになる。
【００８６】
本実施の形態では、クライアントコンピュータ１００を使用する発明者が、出願処理担当者により校正され包袋ファイル３０３に登録された特許出願用明細書の原稿データを、原稿ダウンロード手段１０６により読み込み、原稿修正手段１０７により修正することができ、出願処理担当者の手を煩わすことなく発明者自らが出願処理担当者の校正原稿を修正できるという効果がある。
【００８７】
次に、本発明の第４の実施の形態について図面を参照して詳細に説明する。
【００８８】
図１０を参照すると、本発明の第４の実施の形態においては、第３の実施の形態におけるクライアントコンピュータ１００が、さらに通知手段１０８を含み、クライアントコンピュータ２００が、さらに通知手段２０４を含んだ構成となっている。
【００８９】
通知手段１０８は、原稿アップロード手段１０３が特許出願用明細書の原稿データと該原稿データの発明届出情報とをサーバコンピュータ３００に送信したことをクライアントコンピュータ２００を使用する出願処理担当者宛に電子メールで通知する。
【００９０】
通知手段２０４は、原稿アップロード手段２０３が特許出願用明細書の原稿データと該原稿データの発明届出情報とをサーバコンピュータ３００に送信したことをクライアントコンピュータ１００を使用する発明者宛に電子メールで通知する。
【００９１】
次に、図１０および図１１を参照して本実施の形態の全体の動作について詳細に説明する。なお、本実施の形態において、通知手段１０８および２０４以外の各構成要素の動作は第１〜第３の実施の形態のそれと同じであるため本実施の形態の説明に特に必要のないものの説明は省略する。
【００９２】
クライアントコンピュータ１００の原稿アップロード手段１０３による特許出願用明細書の原稿データおよび該原稿データに係る発明届出情報のサーバコンピュータ３００への送信が完了すると（図２のステップＡ６または図９のステップＣ７）、通知手段１０８は、該原稿データと該原稿データの発明届出情報とをサーバコンピュータ３００に送信したことをクライアントコンピュータ２００を使用する出願処理担当者宛に電子メールで通知する（図１１のステップＤ１）。
【００９３】
クライアントコンピュータ２００においては、クライアントコンピュータ１００の通知手段１０８から原稿データと該原稿データの発明届出情報とをサーバコンピュータ３００へ送信した旨の電子メールを出願処理担当者が受信すると、第１〜３の実施の形態のおける動作と同様に、出願処理担当者の指示により、原稿ダウンロード手段２０１が起動し（ステップＤ２）、起動された原稿ダウンロード手段２０１は、サーバコンピュータ３００の包袋ファイル３０３に登録された発明届出情報の一覧を表示装置（図示せず）に表示し（ステップＤ３）、その一覧から、電子メールで通知された発明届出情報を出願処理担当者に選択させ、選択された発明届出情報に係る原稿データを包袋ファイル３０３から読み込む（ステップＤ４）。
【００９４】
その後、原稿校正手段２０２により原稿データが校正され、原稿アップロード手段２０３がこの校正された原稿データを該原稿データの発明届出情報とともにサーバコンピュータ３００に送信すると、通知手段２０４は、原稿アップロード手段２０３がこの校正済み原稿データと該原稿データの発明届出情報とをサーバコンピュータ３００に送信したことをクライアントコンピュータ１００を使用する発明者宛に電子メールで通知する（ステップＤ５）。
【００９５】
クライアントコンピュータ１００において、クライアントコンピュータ２００の通知手段２０４から校正済み原稿データと該原稿データの発明届出情報とをサーバコンピュータ３００に送信した旨の電子メールを発明者が受信すると、発明者の指示により、原稿ダウンロード手段１０６が起動し（ステップＤ６）、起動された原稿ダウンロード手段１０６は、サーバコンピュータ３００の包袋ファイル３０３に登録されている発明届出情報の一覧を表示装置（図示せず）に表示し（ステップＤ７）、その一覧から、電子メールで通知された発明届出情報を発明者に選択させ、選択された発明届出情報に係る校正済み原稿データを包袋ファイル３０３から読み込む（ステップＤ８）。
【００９６】
以後、第１〜第３の実施の形態と同様に、この校正済み原稿データの修正が必要な場合には、クライアントコンピュータ１００において、原稿修正手段１０７が原稿ダウンロード手段１０６により読み込んだ校正済み原稿データを発明者に修正させ、原稿アップロード手段１０３が発明者により修正されたこの原稿データと該原稿データに係る発明届出情報とをサーバコンピュータ３００に送信する。
【００９７】
本実施の形態では、クライアントコンピュータ１００を使用する発明者が、特許出願用明細書の原稿データおよび該原稿データの発明届出情報がサーバコンピュータ３００に送信されたことを、通知手段１０８によりクライアントコンピュータ２００を使用する出願処理担当者宛に電子メールで通知することができるので、出願処理担当者は、定期的に包袋ファイル３０３を調べることなく、校正対象の原稿データが包袋ファイル３０３に登録されたことを速やかに認識することができるという効果がある。
【００９８】
また、クライアントコンピュータ２００を使用する出願処理担当者が、校正した特許出願用明細書の原稿データと該原稿データの発明届出情報がサーバコンピュータ３００に送信されたことを、通知手段２０４によりクライアントコンピュータ１００を使用する発明者宛に電子メールで通知することができるので、発明者は、定期的に包袋ファイル３０３を調べることなく、校正された原稿データが包袋ファイル３０３に登録されたことを速やかに認識することができるという効果もある。
【００９９】
次に、本発明の第５の実施の形態について図面を参照して詳細に説明する。
【０１００】
図１２を参照すると、本発明の第５の実施の形態は、第４の実施の形態の構成に加え、プログラム制御により動作するクライアントコンピュータ４００と、このコンピュータ４００に接続された記憶装置４１０とを含んでいる。
【０１０１】
クライアントコンピュータ４００は、キーワード検出手段４０１と、サーチ手段４０２と、サーチ結果登録手段４０３とを含む。記憶装置４１０には、公報データファイル４０４が格納されている。
【０１０２】
キーワード検出手段４０１は、サーバコンピュータ３００の包袋ファイル３０３に登録されている特許出願用明細書の原稿データから先行技術サーチ用のキーワードを検出する。
【０１０３】
サーチ手段４０２は、キーワード検出手段４０１が検出したキーワードに基づいて公報データファイル４０４をサーチし、該当する公報データを読み出す。
【０１０４】
サーチ結果登録手段４０３は、サーチ手段４０２が読み出した公報データをサーバコンピュータ３００の包袋ファイル３０３に登録する。
【０１０５】
公報データファイル４０４は、特許庁から過去に発行された公開特許公報や公告特許公報等の公報データを格納している。
【０１０６】
次に、図１２〜図１４を参照して本実施の形態の全体の動作について詳細に説明する。なお、本実施の形態においては、クライアントコンピュータ４００および記憶装置４１０以外の各構成要素の動作は第１〜第４の実施の形態のそれと同じであるため本実施の形態の説明に特に必要のないものの説明は省略する。
【０１０７】
クライアントコンピュータ１００の原稿アップロード手段１０３による特許出願用明細書の原稿データおよび該原稿データに係る発明届出情報のサーバコンピュータ３００への送信が完了すると（図２のステップＡ６）、コンピュータ１００または３００は、該発明届出情報を含む先行技術サーチ依頼通知をクライアントコンピュータ４００のキーワード検出手段４０１に送信する（図１３のステップＥ１）。
【０１０８】
クライアントコンピュータ４００のキーワード検出手段４０１は、コンピュータ１００または３００から先行技術サーチ依頼通知を受ける（ステップＥ２）と、該先行技術サーチ依頼通知に含まれる発明届出情報に対応する特許出願用明細書の原稿データをサーバコンピュータ３００の包袋ファイル３０３から読み出し（ステップＥ３）、該原稿データから先行技術サーチ用のキーワードを検出する（ステップＥ４）。
【０１０９】
次に、サーチ手段４０２は、キーワード検出手段４０１が検出したキーワードに基づいて公報データファイル４０４をサーチし、該当する公報データを読み出す（ステップＥ５）。
【０１１０】
サーチ結果登録手段４０３は、サーチ手段４０２が読み出した公報データを、ステップＥ２で受けた先行技術サーチ依頼通知に含まれていた発明届出情報と対応付けてサーバコンピュータ３００の包袋ファイル３０３に登録する（ステップＥ６）。すなわち、公報データを包袋ファイル３０３の適当な場所に格納するとともに、その格納アドレスを図１４に示す包袋ファイル管理テーブル３０４（図４に示したテーブル３０４に公報データ格納アドレスフィールド２８を設けたもの）の該当する公報データ格納アドレスフィールド２８に登録する。
【０１１１】
以上のようにしてサーバコンピュータ３００に公報データが登録されると、出願処理担当者の指示により、まず、コンピュータ２００の原稿ダウンロード手段２０１が、サーバコンピュータ３００の包袋ファイル３０３内の包袋ファイル管理テーブル３０４を参照しこのテーブル３０４に登録されている全ての発明届出情報（または特定の条件を満たすもののみ（例えば、特定の所属部門に属する各発明者のもののみ））の一覧を表示装置（図示せず）表示し（ステップＥ７）、出願処理担当者に所望の発明届出情報を選択させ、選択された発明届出情報に係る原稿データおよび公報データの格納アドレスを包袋ファイル管理テーブル３０４から知り、そのアドレスに基づき当該原稿データおよび公報データを包袋ファイル３０３から読み込み（ステップＥ８）、これらを表示装置に表示する（ステップＥ９）。
【０１１２】
出願処理担当者は、原稿ダウンロード手段２０１により表示装置に表示された公報データと特許出願用明細書の原稿データとを参照し、該原稿データの内容（発明の内容）が新規性および進歩性を有するものとなるよう原稿データを校正するために原稿校正手段２０２を起動する。
【０１１３】
以後、第１〜第４の実施の形態と同様に、起動された原稿校正手段２０２が原稿データを出願処理担当者に校正させ、原稿アップロード手段２０３が原稿校正手段２０２において校正された特許出願用明細書の原稿データと該原稿データの発明届出情報とをサーバコンピュータ３００に送信する。サーバコンピュータ３００においては、原稿受信手段３０１がクライアントコンピュータ２００から送信された校正済み原稿データと該原稿データに係る発明届出情報とを受信し、原稿登録手段３０２がこの校正済み原稿データと該原稿データに係る発明届出情報とを包袋ファイル３０３に登録する。
【０１１４】
なお、出願処理担当者は、公報データと特許出願用明細書の原稿データとを参照し、該原稿データの内容に新規性または進歩性がないと判断した場合には、通知手段２０４により該発明届出情報に係る出願を中止する旨をクライアントコンピュータ１００を使用する発明者宛に電子メールで通知する。
【０１１５】
本実施の形態では、クライアントコンピュータ４００のキーワード検出手段４０１が、包袋ファイル３０３に登録された特許出願用明細書の原稿データから先行技術サーチ用のキーワードを検出し、サーチ手段４０２が、該キーワードに基づいて該当する公報データを公報データファイル４０４から読み出し、サーチ結果登録手段４０３が、読み出した公報データを包袋ファイル３０３に登録するようにし、クライアントコンピュータ２００を使用する出願処理担当者が、該公報データを参照しながら、該公報の内容を反映するよう包袋ファイル３０３に登録されている原稿データの校正を原稿校正手段２０２により行えるため、質の充実した特許出願明細書を極めて効率的に作成できるという効果がある。
【０１１６】
次に、本発明の第６の実施の形態について図面を参照して詳細に説明する。
【０１１７】
図１５を参照すると、本発明の第６の実施の形態は、第５の実施の形態の構成に加え、クライアントコンピュータ５００を含むとともに、クライアントコンピュータ２００が、特許出願書類データ送信手段２０５と、プルーフ受信手段２０６と、プルーフ送信手段２０７を含み、サーバコンピュータが３００が、プルーフ受信手段３０５と、プルーフ登録手段３０６とを含む。
【０１１８】
クライアントコンピュータ５００は、特許庁が使用し、特許出願書類データ受信手段５０１と、プルーフ送信手段５０２とを含む。
【０１１９】
特許出願書類データ受信手段５０１は、クライアントコンピュータ２００から送信された特許出願書類データを受信する。
【０１２０】
プルーフ送信手段５０２は、特許出願書類データ受信手段５０１が受信した特許出願書類データに対応するプルーフを作成し、クライアントコンピュータ２００へ送信する。
【０１２１】
また、クライアントコンピュータ２００は、さらに特許出願書類データ送信手段２０５と、プルーフ受信手段２０６と、プルーフ送信手段２０７とを含む。
【０１２２】
特許出願書類データ送信手段２０５は、原稿アップロード手段２０３からサーバコンピュータ３００に送信した特許出願用明細書の原稿データと該原稿データの発明届出情報とを受け、特許出願書類データを作成してクライアントコンピュータ５００に送信する。
【０１２３】
プルーフ受信手段２０６は、クライアントコンピュータ５００から送信されたプルーフを受信する。
【０１２４】
プルーフ送信手段２０７は、プルーフ受信手段２０６が受信したプルーフをサーバコンピュータ３００へ送信する。
【０１２５】
サーバコンピュータ３００は、さらにプルーフ受信手段３０５と、プルーフ登録手段３０６とを含む。
【０１２６】
プルーフ受信手段３０５は、クライアントコンピュータ２００から送信されたプルーフを受信する。
【０１２７】
プルーフ登録手段３０６は、プルーフ受信手段３０５が受信したプルーフを包袋ファイル３０３に登録する。
【０１２８】
クライアントコンピュータ１００は、さらにプルーフ参照手段１０９を含む。
【０１２９】
プルーフ参照手段１０９は、包袋ファイル３０３に登録されたプルーフを図示しない表示装置に表示する。
【０１３０】
次に、図１５〜図１７を参照して本実施の形態の全体の動作について詳細に説明する。なお、本実施の形態においては、クライアントコンピュータ５００、特許出願書類データ送信手段２０５、プルーフ受信手段２０６、プルーフ送信手段２０７、プルーフ受信手段３０５およびプルーフ登録手段３０６以外の各構成要素の動作は第１〜第５の実施の形態のそれと同じであるため本実施の形態の説明に特に必要ないものの説明は省略する。
【０１３１】
出願処理担当者が原稿データの校正を最終的に完了すると、クライアントコンピュータ２００の原稿アップロード手段２０３は、この原稿データと該原稿データの発明届出情報とをサーバコンピュータ３００に送信するとともに、該原稿データと該原稿データの発明届出情報とを特許出願書類データ送信手段２０５に渡す（図１６のステップＦ１）。
【０１３２】
特許出願書類データ送信手段２０５は、原稿アップロード手段２０３から原稿データと該原稿データの発明届出情報とを受け（ステップＦ２）、該発明届出情報から特許出願用の願書の作成に必要な項目（発明者名や発明の名称等）を抽出して特許出願用願書の文書データを作成し（ステップＦ３）、該願書の文書データを付した特許出願用明細書の原稿データを特許出願書類データとしてクライアントコンピュータ５００へ送信する（ステップＦ４）。
【０１３３】
次に、クライアントコンピュータ５００において、特許出願書類データ受信手段５０１は、クライアントコンピュータ２００から送信された特許出願書類データを受信する（ステップＦ５）。
【０１３４】
プルーフ送信手段５０２は、特許出願書類データ受信手段５０１が受信した特許出願書類データに対応するプルーフを作成し、クライアントコンピュータ２００へ送信する（ステップＦ６）。
【０１３５】
クライアントコンピュータ２００において、プルーフ受信手段２０６は、クライアントコンピュータ５００から送信されたプルーフを受信する（ステップＦ７）。
【０１３６】
プルーフ送信手段２０７は、プルーフ受信手段２０６が受信したプルーフから発明届出情報に関連する項目（整理番号、発明者名、発明の名称等）や出願番号、出願日等の出願情報を読み取り（ステップＦ８）、該発明届出情報に関連する項目と出願情報とプルーフとをサーバコンピュータ３００へ送信する（ステップＦ９）。
【０１３７】
サーバコンピュータ３００のプルーフ受信手段３０５は、クライアントコンピュータ２００から送信されたプルーフと発明届出情報に関連する項目と出願情報とを受信する（ステップＦ１０）。
【０１３８】
プルーフ登録手段３０６は、プルーフ受信手段３０５が受信したプルーフとその出願情報と、発明届出情報に関連する項目に基づいて、対応付けて包袋ファイル３０３に登録する（ステップＦ１１）。すなわち、プルーフを包袋ファイル３０３の適当な場所に格納するとともに、その格納アドレスを図１７に示す包袋ファイル管理テーブル３０４（図１４に示したテーブル３０４にプルーフ格納アドレスフィールド２９、出願番号フィールド３０および出願日フィールド３１を設けたもの）内のの該当する（すなわち、発明届出情報に関連する項目（例えば、整理番号）により特定される）エントリのプルーフ格納アドレスフィールド２９に登録する。さらに、このエントリの出願番号フィールド３０および出願日フィールド３１にそれぞれ出願番号および出願日を登録する。
【０１３９】
発明者がプルーフを確認したい場合には、発明者の指示により、クライアントコンピュータ１００のプルーフ参照手段１０９が、包袋ファイル３０３に登録された発明届出情報の一覧（図５の一覧に出願番号、出願日の項目を含むもの）を表示装置（図示せず）に表示し（ステップＦ１２）、発明者に所望の発明届出情報を選択させ、選択された発明届出情報に係るプルーフを包袋ファイル３０３から読み込み（ステップＦ１３）、読み込んだプルーフを表示装置に表示する（ステップＦ１４）。
【０１４０】
次に、本発明の第７の実施の形態について図面を参照して詳細に説明する。
【０１４１】
図１８を参照すると、本発明の第７の実施の形態は、特許出願用明細書作成用プログラムを記録した記録媒体６０１〜６０５を備える。この記録媒体６０１〜６０５は磁気ディスク、半導体メモリその他の記録媒体であってよい。
【０１４２】
発明者用明細書作成プログラムは記録媒体６０１からクライアントコンピュータ１００に読み込まれ、クライアントコンピュータ１００の動作を制御する。クライアントコンピュータ１００は、発明者用明細書作成プログラムの制御により第１〜第６の実施の形態のいずれかにおけるクライアントコンピュータ１００における原稿作成手段１０１、発明届出情報登録手段１０２、原稿アップロード手段１０３、テンプレートダウンロード手段１０５、原稿ダウンロード手段１０６、原稿修正手段１０７、通知手段１０８、およびプルーフ参照手段１０９による処理と同一の処理を実行する。
【０１４３】
出願処理担当者用明細書作成プログラムは記録媒体６０２からクライアントコンピュータ２００に読み込まれ、クライアントコンピュータ２００の動作を制御する。クライアントコンピュータ２００は、出願処理担当者用明細書作成プログラムの制御により第１〜第６の実施の形態のいずれかにおけるクライアントコンピュータ２００における原稿ダウンロード手段２０１、原稿校正手段２０２、原稿アップロード手段２０３、通知手段２０４、特許出願書類データ送信手段２０５、プルーフ受信手段２０６、およびプルーフ送信手段２０７による処理と同一の処理を実行する。
【０１４４】
登録管理用プログラムは記録媒体６０３からサーバコンピュータ３００に読み込まれ、サーバコンピュータ３００の動作を制御する。サーバコンピュータ３００は、登録管理用プログラムの制御により第１〜第６の実施の形態のいずれかにおけるサーバコンピュータ３００における原稿受信手段３０１、原稿登録手段３０２、プルーフ受信手段３０５、およびプルーフ登録手段３０６による処理と同一の処理を実行する。
【０１４５】
先行技術サーチ用プログラムは記録媒体６０４からクライアントコンピュータ４００に読み込まれ、クライアントコンピュータ４００の動作を制御する。クライアントコンピュータ４００は、先行技術サーチ用プログラムの制御により第５および第６の実施の形態におけるクライアントコンピュータ４００におけるキーワード検出手段４０１、サーチ手段４０２、およびサーチ結果登録手段４０３による処理と同一の処理を実行する。
【図面の簡単な説明】
【０１４６】
【図１】本発明の第１の実施の形態の構成を示すブロック図である。
【図２】本発明の第１の実施の形態の動作を示す流れ図である。
【図３】本発明の第１の実施の形態における発明届出情報入力画面の例を示す図である。
【図４】本発明の第１の実施の形態における包袋ファイル管理テーブル３０４の内容を示す図である。
【図５】本発明の第１の実施の形態における発明届出情報一覧の例を示す図である。
【図６】本発明の第２の実施の形態の構成を示すブロック図である。
【図７】本発明の第２の実施の形態の動作を示す流れ図である。
【図８】本発明の第３の実施の形態の構成を示すブロック図である。
【図９】本発明の第３の実施の形態の動作を示す流れ図である。
【図１０】本発明の第４の実施の形態の構成を示すブロック図である。
【図１１】本発明の第４の実施の形態の動作を示す流れ図である。
【図１２】本発明の第５の実施の形態の構成を示すブロック図である。
【図１３】本発明の第５の実施の形態の動作を示す流れ図である。
【図１４】本発明の第５の実施の形態における包袋ファイル管理テーブル３０４の内容を示す図である。
【図１５】本発明の第６の実施の形態の構成を示すブロック図である。
【図１６】本発明の第６の実施の形態の動作を示す流れ図である。
【図１７】本発明の第６の実施の形態における包袋ファイル管理テーブル３０４の内容を示す図である。
【図１８】本発明の第７の実施の形態の構成を示すブロック図である。
【符号の説明】
【０１４７】
１００    クライアントコンピュータ
１０１    原稿作成手段
１０２    発明届出情報登録手段
１０３    原稿アップロード手段
１０４    記憶装置
１０５    テンプレートダウンロード手段
１０６    原稿ダウンロード手段
１０７    原稿修正手段
１０８    通知手段
１０９    プルーフ参照手段
２００    クライアントコンピュータ
２０１    原稿ダウンロード手段
２０２    原稿校正手段
２０３    原稿アップロード手段
２０４    通知手段
２０５    特許出願書類データ送信手段
２０６    プルーフ受信手段
２０７    プルーフ送信手段
３００    サーバコンピュータ
３０１    原稿受信手段
３０２    原稿登録手段
３０３    包袋ファイル
３０４    包袋ファイル管理テーブル
３０５    プルーフ受信手段
３０６    プルーフ登録手段
３１０    記憶装置
４００    クライアントコンピュータ
４０１    キーワード検出手段
４０２    サーチ手段
４０３    サーチ結果登録手段
４０４    公報データファイル
４１０    記憶装置
５００    クライアントコンピュータ
５０１    特許出願書類データ受信手段
５０２    プルーフ送信手段
６０１〜６０４    記録媒体
【図１】
2006190342.tif 000003
【図２】
2006190342.tif 000004
【図３】
2006190342.tif 000005
【図４】
2006190342.tif 000006
【図５】
2006190342.tif 000007
【図６】
2006190342.tif 000008
【図７】
2006190342.tif 000009
【図８】
2006190342.tif 000010
【図９】
2006190342.tif 000011
【図１０】
2006190342.tif 000012
【図１１】
2006190342.tif 000013
【図１２】
2006190342.tif 000014
【図１３】
2006190342.tif 000015
【図１４】
2006190342.tif 000016
【図１５】
2006190342.tif 000017
【図１６】
2006190342.tif 000018
【図１７】
2006190342.tif 000019
【図１８】
2006190342.tif 000020